(57)【要約】【課題】簡便に回転方向の位置決めを行い、迅速な着脱を行うことが可能なモップ構造を提供する。【解決手段】モップ構造は、本体柄１１と、接続ベース１３と、本体柄１１と接続ベース１３との間に配置された回転ユニットと、接続ベース１３の底部に配置された清掃ユニット１４とを含む。清掃ユニット１４は、係合部材により接続ベース１３と一体結合されている。回転ユニットは、ガイドレール１２１１を上に有する回転ベース１２１と、回転ベース１２１と一体結合された回転軸１２２と、ガイドレール１２１１上を摺動させることが可能な位置規制体と、位置規制体に当接された弾性部材と、弾性部材を圧縮し、位置規制体とガイドレール１２１１との摩擦力を高める押し片とを含む。【選択図】図４Ａ
0003151945.tif 000002
【実用新案登録請求の範囲】
【請求項１】
本体柄と、接続ベースと、前記本体柄と前記接続ベースとの間に配置された回転ユニットと、前記接続ベースの底部に配置された清掃ユニットと、を含むモップ構造であって、
前記清掃ユニットは、係合部材により前記接続ベースと一体結合され、
前記回転ユニットは、
ガイドレールを上に有する回転ベースと、
前記回転ベースと一体結合された回転軸と、
前記ガイドレール上を摺動させることが可能な位置規制体と、
前記位置規制体に当接された弾性部材と、
前記弾性部材を圧縮し、前記位置規制体と前記ガイドレールとの摩擦力を高める押し片と、を有することを特徴とするモップ構造。
【請求項２】
前記位置規制体はボールであることを特徴とする請求項１に記載のモップ構造。
【請求項３】
前記清掃ユニットは、複数の清掃体を有することを特徴とする請求項１に記載のモップ構造。
【請求項４】
前記接続ベースは、メインベースおよびサブベースを含み、
前記メインベース、前記サブベースおよび前記回転ユニットは、ロック部材により一体に締結されることを特徴とする請求項１に記載のモップ構造。
【請求項５】
前記サブベース上に複数の位置決め挿入口が設けられていることを特徴とする請求項４に記載のモップ構造。
【請求項６】
前記本体柄は伸縮可能な柄であることを特徴とする請求項１に記載のモップ構造。
【考案の詳細な説明】
【技術分野】
【０００１】
本考案は、モップ構造に関し、特に、回転方向の位置決めを行い、迅速な着脱を行うことが可能なモップ構造に関する。
【背景技術】
【０００２】
従来のモップは、すでに一般家庭または公共の場所で使用される必要不可欠な清掃道具の一つであるため、各家庭または公共の場所に１本または複数本が用意されていることが多かった。一般に使われる（ハンドル把手、吸水布またはコットンを含む）モップは、一体成形されて分解が容易ではない上、回転させることができなかった。そのため、使用が簡便でない上、洗浄するときハンドル把手も一緒に洗浄しなければならず、実用的でなかった。
【０００３】
そのため、簡便に回転方向の位置決めを行い、迅速な着脱を行うことが可能なモップ構造が求められていた。
【考案の概要】
【考案が解決しようとする課題】
【０００４】
本考案の目的は、簡便に回転方向の位置決めを行い、迅速な着脱を行うことが可能なモップ構造を提供することにある。
【課題を解決するための手段】
【０００５】
上記課題を解決するために、本考案の第１の形態によれば、本体柄と、接続ベースと、前記本体柄と前記接続ベースとの間に配置された回転ユニットと、前記接続ベースの底部に配置された清掃ユニットと、を含むモップ構造であって、前記清掃ユニットは、係合部材により前記接続ベースと一体結合され、前記回転ユニットは、ガイドレールを上に有する回転ベースと、前記回転ベースと一体結合された回転軸と、前記ガイドレール上を摺動させることが可能な位置規制体と、前記位置規制体に当接された弾性部材と、前記弾性部材を圧縮し、前記位置規制体と前記ガイドレールとの摩擦力を高める押し片と、を有することを特徴とするモップ構造が提供される。
【０００６】
また、前記位置規制体はボールであることが好ましい。
【０００７】
また、前記清掃ユニットは、複数の清掃体を有することが好ましい。
【０００８】
また、前記接続ベースは、メインベースおよびサブベースを含み、前記メインベース、前記サブベースおよび前記回転ユニットは、ロック部材により一体に締結されることが好ましい。
【０００９】
また、前記サブベース上に複数の位置決め挿入口が設けられていることが好ましい。
【００１０】
また、前記本体柄は伸縮可能な柄であることが好ましい。
【考案の効果】
【００１１】
本考案のモップ構造によれば、簡便に回転方向の位置決めを行い、迅速な着脱を行うことができる。
【図面の簡単な説明】
【００１２】
【図１】本考案の一実施形態によるモップ構造を示す分解斜視図である。
【図２】本考案の一実施形態によるモップ構造を示す分解斜視図である。
【図３Ａ】本考案の一実施形態による係合部材と清掃体とを接続させるときの状態を示す模式図である。
【図３Ｂ】本考案の一実施形態によるモップ構造を使用するときの状態を示す模式図である。
【図４Ａ】本考案の一実施形態によるモップ構造を使用するときの状態を示す模式図である。
【図４Ｂ】本考案の一実施形態によるモップ構造を使用するときの状態を示す他の模式図である。
【図５】本考案の一実施形態によるモップ構造を示す斜視図である。
【考案を実施するための形態】
【００１３】
以下、本考案の実施形態について図に基づいて説明する。なお、これによって本考案が限定されるものではない。
【００１４】
図５を参照する。図５は、本考案の一実施形態によるモップ構造を示す斜視図である。本実施形態のモップ１０は、主に本体柄１１と、接続ベース１３と、本体柄１１と接続ベース１３との間に配置された回転ユニット１２と、接続ベース１３の底部に配置された清掃ユニット１４と、を含む。本体柄１１は、伸縮可能な柄であるため、各ユーザの身長に応じて調整し、使用することができる。さらに、モップ１０は、清掃を行うことが困難な様々な場所（例えば、椅子の下など）に使用することができるように、回転ユニット１２を回転させて本体柄１１と接続ベース１３との角度を変えることができるため、使用が簡便である。また、清掃ユニット１４と接続ベース１３とを迅速に分解させることができるため、清掃ユニット１４に吸着された汚物が一定レベルに達し、洗浄を行う必要がある場合、直接それを取り外して洗面台で洗浄することができ、バケツを使用して本体柄１１と一緒に洗浄しなくてもよいため、非常に便利である。
【００１５】
図１を参照する。図１は、本考案の一実施形態によるモップ構造を示す分解斜視図である。図１に示すように、回転ユニット１２は、回転ベース１２１、回転軸１２２、位置規制体１２５、弾性部材１２４および押し片１２３を含む。回転ベース１２１上には、位置規制体１２５を摺動させるために用いるガイドレール１２１１が設けられている。回転軸１２２の下部には、固定部材１２７と回転ベース１２１との間を一体結合させることが可能な接続溝１２６が設けられている。弾性部材１２４は、位置規制体１２５に当接されるとともに、押し片１２３により圧縮されて位置規制体１２５をガイドレール１２１１上へさらに緊密に当接させることができる。これにより、位置規制体１２５とガイドレール１２１１との摩擦力を増大させることができる。この位置規制体１２５はボールでもよい。
【００１６】
図２を参照する。図２は、本考案の一実施形態によるモップ構造を示す分解斜視図である。図２に示すように、接続ベース１３は、メインベース１３１およびサブベース１３２を含み、メインベース１３１、サブベース１３２および回転ユニット１２は、ロック部材１３３により一体に締結させることができる。サブベース１３２上には、複数の位置決め挿入口１３２１が設けられている。
【００１７】
図３Ａおよび図３Ｂを参照する。図３Ａは、本考案の一実施形態による係合部材と清掃体とを接続させるときの状態を示す模式図である。図３Ｂは、本考案の一実施形態によるモップ構造を使用するときの状態を示す模式図である。図３Ａおよび図３Ｂに示すように、本実施形態の清掃ユニット１４は、複数の清掃体１４１を含み、本実施形態のモップは、係合部材１３４に各清掃体１４１を対応するように貫設させて組み合わせ、係合部材１３４に固定してから清掃体１４１の各係合部材１３４をサブベース１３２上の位置決め挿入口１３２１内に係合させることにより清掃作業を行うことができる。清掃ユニット１４により吸着された汚物が一定レベルに達した場合、係合部材１３４に力を加えて位置決め挿入口１３２１内から外して迅速に分解すると、清掃ユニット１４を洗浄することができる。
【００１８】
図４Ａおよび図４Ｂを参照する。図４Ａおよび図４Ｂは、本考案の一実施形態によるモップ構造を使用するときの状態を示す模式図である。図４Ａおよび図４Ｂに示すように、清掃を行うことが困難な場所（例えば、机の下、椅子の下など）は、モップ１０の接続ベース１３を足で踏みながら本体柄１１を回転させ、図１の回転ユニット１２内にある位置規制体１２５を押圧すると、回転ベース１２１上のガイドレール１２１１内で摺動され、接続ベース１３と本体柄１１とのなす角度を変えることができるため、清掃が困難な場所を清掃することもできる。接続ベース１３と本体柄１１とのなす角度を決定した後、弾性部材１２４により位置規制体１２５が圧迫されてガイドレール１２１１上に強固に当接されるため、使用するときに回転力が加わっても、ガイドレール１２１１と位置規制体１２５との摩擦力により接続ベース１３と本体柄１１とのなす角度が固定されるため、非常に実用的である。
【００１９】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００２０】
１０      モップ
１１      本体柄
１２      回転ユニット
１３      接続ベース
１４      清掃ユニット
１２１    回転ベース
１２２    回転軸
１２３    押し片
１２４    弾性部材
１２５    位置規制体
１２６    接続溝
１２７    固定部材
１３１    メインベース
１３２    サブベース
１３３    ロック部材
１３４    係合部材
１４１    清掃体
１２１１  ガイドレール
１３２１  位置決め挿入口
【図１】
0003151945.tif 000003
【図２】
0003151945.tif 000004
【図３Ａ】
0003151945.tif 000005
【図３Ｂ】
0003151945.tif 000006
【図４Ａ】
0003151945.tif 000007
【図４Ｂ】
0003151945.tif 000008
【図５】
0003151945.tif 000009